(57)【要約】【課題】操作手段の操作力が係止手段に対して直接伝達されるのを回避して、操作ノブ又は係止手段の破損を防止することができる燃料タンクキャップのロック装置を提供する。【解決手段】車両の燃料タンクに通じた給油口を塞いだ閉塞位置と開放した開放位置との間で移動して当該給油口を開閉可能なキャップ１と、操作者によって揺動軸Ｌｂを中心とした揺動操作が可能とされた操作ノブ２と、操作ノブ２の揺動操作に連動して移動可能とされる係止手段３と、係止手段３の係止位置から許容位置への動作をロックし得るロック手段とを具備した燃料タンクキャップのロック装置であって、操作ノブ２の揺動軸Ｌｂと係止手段３との間に形成され、操作ノブ２の揺動操作に伴う揺動軸Ｌｂの回転力を係止手段３に伝達して移動させ得る操作力伝達手段（第１ギアＧ１及び第２ギアＧ２）を備えたものである。【選択図】図５
2020199830.tif 000002
【特許請求の範囲】
【請求項１】
車両の燃料タンクに通じた給油口を塞いだ閉塞位置と開放した開放位置との間で移動して当該給油口を開閉可能なキャップと、
操作者によって揺動軸を中心とした揺動操作が可能とされた操作手段と、
前記操作手段の揺動操作に連動して移動可能とされるとともに、前記キャップが給油口を塞いだ状態を保持する係止位置と、当該係止を解除して当該キャップの開動作を許容する許容位置との間で動作する係止手段と、
前記係止手段の係止位置から許容位置への動作をロックし、又は当該ロックを解除して前記係止手段の係止位置から許容位置への動作を許容し得るロック手段と、
を具備した燃料タンクキャップのロック装置であって、
前記操作手段の前記揺動軸と前記係止手段との間に形成され、前記操作手段の揺動操作に伴う前記揺動軸の回転力を前記係止手段に伝達して移動させ得る操作力伝達手段を備えたことを特徴とする燃料タンクキャップのロック装置。
【請求項２】
前記操作力伝達手段は、前記揺動軸に形成された第１ギアと、前記係止手段に形成された第２ギアとを有し、前記第１ギア及び第２ギアが噛み合って構成されることにより、前記揺動軸の回転力を前記第１ギア及び第２ギアを介して前記係止手段に伝達することを特徴とする請求項１記載の燃料タンクキャップのロック装置。
【請求項３】
前記第１ギア及び第２ギアは、ラックアンドピニオンを構成するものとされ、前記第１ギアは、前記揺動軸の端部に取り付けられたピニオンから成るとともに、前記第２ギアは、前記係止手段に形成されたラックから成ることを特徴とする請求項２記載の燃料タンクキャップのロック装置。
【請求項４】
前記ロック手段は、
前記係止手段と連結されて当該係止手段と共に移動可能なスライダと、
前記スライダに係止して当該スライダの移動を規制する位置と、前記スライダに対する係止を解除して当該スライダの移動を許容する位置との間で変位可能なプランジャを有したソレノイドと、
を有することを特徴とする請求項１〜３の何れか１つに記載の燃料タンクキャップのロック装置。
【請求項５】
前記キャップは、前記揺動軸を挿通する挿通孔が形成されるとともに、当該揺動軸には、前記挿通孔をシールするシール手段が取り付けられたことを特徴とする請求項１〜４の何れか１つに記載の燃料タンクキャップのロック装置。
【請求項６】
運転者が携帯し得るとともに車両固有のＩＤコードを発信する発信手段と、
車両側に配設されて前記発信手段からのＩＤコードを受信し得る受信手段と、
該受信手段で受信したＩＤコードが当該車両における正規のものであるか否かを判定する判定手段と、
を備えるとともに、前記判定手段が正規のＩＤコードを受信したと判定している場合に限り、前記ロック手段によるロック解除を行わせ得ることを特徴とする請求項１〜５の何れか１つに記載の燃料タンクキャップのロック装置。
【請求項７】
前記判定手段により正規のＩＤコードを受信したと判定され、且つ、前記係止手段の移動が検知されたことを条件として、前記ロック手段によるロック解除を行わせることを特徴とする請求項６記載の燃料タンクキャップのロック装置。
【発明の詳細な説明】
【技術分野】
【０００１】
本発明は、燃料タンクに通じた給油口を塞ぐためのキャップの開閉をロック又はロック解除を行うための燃料タンクキャップのロック装置に関するものである。
【背景技術】
【０００２】
通常、大型の二輪車における燃料タンクの上部には、給油口が設けられるとともに、その給油口を塞いだ閉塞位置と開放した開放位置との間で移動して当該給油口を開閉可能なキャップと、キャップの開閉をロック又はロック解除を行うためのロック手段とを有した燃料タンクキャップのロック装置が提案されている。例えば、従来の燃料タンクキャップのロック装置として、特許文献１にて開示されているように、操作者によって揺動軸を中心とした揺動操作が可能とされた操作ノブと、操作ノブの揺動操作に連動して移動可能とされるとともに、キャップが給油口を塞いだ状態を保持する係止位置と、当該係止を解除して当該キャップの開動作を許容する許容位置との間で動作する係止手段と、係止手段の係止位置から許容位置への動作をロックし、又は当該ロックを解除して係止手段の係止位置から許容位置への動作を許容し得るロック手段とを具備したものが挙げられる。
【先行技術文献】
【特許文献】
【０００３】
【特許文献１】イタリア国特許第３９３３８２号公報
【発明の概要】
【発明が解決しようとする課題】
【０００４】
しかしながら、上記従来技術においては、操作ノブを揺動操作すると、その操作ノブの基端が係止手段と当接してテコの原理で許容位置まで移動させることにより、キャップの開動作が許容される構成であったので、操作ノブを想定より強く操作した場合、その強い操作力が直接、係止手段に伝達されてしまい、操作ノブやスライダ等が破損してしまう虞があった。
【０００５】
また、上記従来技術においては、キャップが閉塞位置にあるとき、係止手段と嵌合して連結するための嵌合凹部がスライダに形成されているため、キャップが開放位置にあるとき、当該嵌合凹部が上方に臨んだ状態とされ、嵌合凹部に異物が詰まってしまう可能性があった。この場合、キャップを閉塞位置に揺動させても、嵌合凹部に係止手段を嵌合させることができず、ロック手段によるロックを正常に行うことができない虞がある。
【０００６】
本発明は、このような事情に鑑みてなされたもので、操作手段の操作力が係止手段に対して直接伝達されるのを回避して、操作ノブ又は係止手段の破損を防止することができるとともに、異物が装置内部に侵入してしまうのを防止することができる燃料タンクキャップのロック装置を提供することにある。
【課題を解決するための手段】
【０００７】
請求項１記載の発明は、車両の燃料タンクに通じた給油口を塞いだ閉塞位置と開放した開放位置との間で移動して当該給油口を開閉可能なキャップと、操作者によって揺動軸を中心とした揺動操作が可能とされた操作手段と、前記操作手段の揺動操作に連動して移動可能とされるとともに、前記キャップが給油口を塞いだ状態を保持する係止位置と、当該係止を解除して当該キャップの開動作を許容する許容位置との間で動作する係止手段と、前記係止手段の係止位置から許容位置への動作をロックし、又は当該ロックを解除して前記係止手段の係止位置から許容位置への動作を許容し得るロック手段とを具備した燃料タンクキャップのロック装置であって、前記操作手段の前記揺動軸と前記係止手段との間に形成され、前記操作手段の揺動操作に伴う前記揺動軸の回転力を前記係止手段に伝達して移動させ得る操作力伝達手段を備えたことを特徴とする。
【０００８】
請求項２記載の発明は、請求項１記載の燃料タンクキャップのロック装置において、前記操作力伝達手段は、前記揺動軸に形成された第１ギアと、前記係止手段に形成された第２ギアとを有し、前記第１ギア及び第２ギアが噛み合って構成されることにより、前記揺動軸の回転力を前記第１ギア及び第２ギアを介して前記係止手段に伝達することを特徴とする。
【０００９】
請求項３記載の発明は、請求項２記載の燃料タンクキャップのロック装置において、前記第１ギア及び第２ギアは、ラックアンドピニオンを構成するものとされ、前記第１ギアは、前記揺動軸の端部に取り付けられたピニオンから成るとともに、前記第２ギアは、前記係止手段に形成されたラックから成ることを特徴とする。
【００１０】
請求項４記載の発明は、請求項１〜３の何れか１つに記載の燃料タンクキャップのロック装置において、前記ロック手段は、前記係止手段と連結されて当該係止手段と共に移動可能なスライダと、前記スライダに係止して当該スライダの移動を規制する位置と、前記スライダに対する係止を解除して当該スライダの移動を許容する位置との間で変位可能なプランジャを有したソレノイドとを有することを特徴とする。
【００１１】
請求項５記載の発明は、請求項１〜４の何れか１つに記載の燃料タンクキャップのロック装置において、前記キャップは、前記揺動軸を挿通する挿通孔が形成されるとともに、当該揺動軸には、前記挿通孔をシールするシール手段が取り付けられたことを特徴とする。
【００１２】
請求項６記載の発明は、請求項１〜５の何れか１つに記載の燃料タンクキャップのロック装置において、運転者が携帯し得るとともに車両固有のＩＤコードを発信する発信手段と、車両側に配設されて前記発信手段からのＩＤコードを受信し得る受信手段と、該受信手段で受信したＩＤコードが当該車両における正規のものであるか否かを判定する判定手段とを備えるとともに、前記判定手段が正規のＩＤコードを受信したと判定している場合に限り、前記ロック手段によるロック解除を行わせ得ることを特徴とする。
【００１３】
請求項７記載の発明は、請求項６記載の燃料タンクキャップのロック装置において、前記判定手段により正規のＩＤコードを受信したと判定され、且つ、前記係止手段の移動が検知されたことを条件として、前記ロック手段によるロック解除を行わせることを特徴とする。
【発明の効果】
【００１４】
請求項１の発明によれば、操作手段の揺動軸と係止手段との間に形成され、操作手段の揺動操作に伴う揺動軸の回転力を係止手段に伝達して移動させ得る操作力伝達手段を備えたので、操作手段の操作力が係止手段に対して直接伝達されるのを回避して、操作手段又は係止手段の破損を防止することができるとともに、異物が装置内部に侵入してしまうのを防止することができる。
【００１５】
請求項２の発明によれば、操作力伝達手段は、揺動軸に形成された第１ギアと、係止手段に形成された第２ギアとを有し、第１ギア及び第２ギアが噛み合って構成されることにより、揺動軸の回転力を第１ギア及び第２ギアを介して係止手段に伝達するので、操作手段の操作に伴う係止手段の移動量や操作方向、及び操作手段の操作により係止手段に伝達される操作力を容易に調整することができる。
【００１６】
請求項３の発明によれば、第１ギア及び第２ギアは、ラックアンドピニオンを構成するものとされ、第１ギアは、揺動軸の端部に取り付けられたピニオンから成るとともに、第２ギアは、係止手段に形成されたラックから成るので、揺動軸の回転力を効率よく係止手段に伝達してスライドさせることができる。
【００１７】
請求項４の発明によれば、ロック手段は、係止手段と連結されて当該係止手段と共に移動可能なスライダと、スライダに係止して当該スライダの移動を規制する位置と、スライダに対する係止を解除して当該スライダの移動を許容する位置との間で変位可能なプランジャを有したソレノイドとを有するので、確実に係止手段の動作をロックさせることができる。
【００１８】
請求項５の発明によれば、キャップは、揺動軸を挿通する挿通孔が形成されるとともに、当該揺動軸には、挿通孔をシールするシール手段が取り付けられたので、挿通孔を介して雨水や塵等の異物が装置内部に侵入してしまうのを容易に防止することができる。
【００１９】
請求項６の発明によれば、運転者が携帯し得るとともに車両固有のＩＤコードを発信する発信手段と、車両側に配設されて発信手段からのＩＤコードを受信し得る受信手段と、受信手段で受信したＩＤコードが当該車両における正規のものであるか否かを判定する判定手段とを備えるとともに、判定手段が正規のＩＤコードを受信したと判定している場合に限り、ロック手段によるロック解除を行わせ得るので、第三者が不正にロック手段によるロック解除を行ってしまうのを防止することができ、防犯性を向上させることができる。
【００２０】
請求項７の発明によれば、判定手段により正規のＩＤコードを受信したと判定され、且つ、係止手段の移動が検知されたことを条件として、ロック手段によるロック解除を行わせるので、操作手段の操作の過程でロック解除を行わせることができ、操作性を向上させることができる。
【図面の簡単な説明】
【００２１】
【図１】本発明の実施形態に係る燃料タンクキャップのロック装置を示す平面図及び側面図
【図２】図１におけるＩＩ−ＩＩ線断面図であって、（ａ）キャップが閉塞位置にある状態（ｂ）キャップが開放位置にある状態を示す模式図
【図３】図１におけるＩＩＩ−ＩＩＩ線断面図
【図４】同燃料タンクキャップのロック装置における操作手段の操作前の状態（係止手段が係止位置にある状態）を示す模式図
【図５】同燃料タンクキャップのロック装置おける操作手段の操作後の状態（係止手段が許容位置にある状態）を示す模式図
【図６】同燃料タンクキャップのロック装置における操作手段、係止手段及びロック手段を示す斜視図
【図７】同燃料タンクキャップのロック装置におけるキャップを示す平面図及び側面図
【図８】同燃料タンクキャップのロック装置における揺動軸及び第１ギアを示す側面図及び正面図
【図９】同燃料タンクキャップのロック装置における操作手段を示す平面図及び側面図
【図１０】同燃料タンクキャップのロック装置における係止手段を示す４面図
【図１１】同燃料タンクキャップのロック装置におけるスライダを示す斜視図
【図１２】同スライダを示す４面図
【図１３】同燃料タンクキャップのロック装置におけるスライダと、ソレノイド及び検知スイッチが取り付けられた取付部材とを示す斜視図
【図１４】同燃料タンクキャップのロック装置におけるスライダと、ソレノイド及び検知スイッチが取り付けられた取付部材とを示す３面図
【図１５】同燃料タンクキャップのロック装置におけるスライダと及び検知スイッチの位置関係を示す模式図
【図１６】同燃料タンクキャップのロック装置におけるスライダと及び検知スイッチの位置関係を示す模式図
【図１７】同燃料タンクキャップのロック装置の全体構成を示すブロック図
【発明を実施するための形態】
【００２２】
以下、本発明の実施形態について図面を参照しながら具体的に説明する。
本実施形態に係る燃料タンクキャップのロック装置は、大型二輪車における燃料タンクに通じた給油口を塞ぐためのキャップの開閉をロック又はロック解除するものであり、図１〜３に示すように、キャップ１と、操作ノブ２（操作手段）と、係止手段３と、ロック手段としてのソレノイド５及びスライダ６と、検知スイッチ８とを有して構成されている。なお、上記構成部品は、給油口Ｔａが形成された収容部材Ｔにて収容されている。また、収容部材Ｔの上部には、図１〜３に示すように、円環状のカバー部Ｈが複数のボルトにて固定されている。
【００２３】
キャップ１は、車両の燃料タンクに通じた給油口Ｔａを塞いだ閉塞位置（図２（ａ）参照）と開放した開放位置（図２（ｂ）参照）との間で移動して当該給油口Ｔａを開閉可能なもので、上側キャップ部１ａ及び下側キャップ部１ｂから構成されている。本実施形態においては、運転者等の操作者が操作ノブ２を手で摘まんで上方に引き上げることにより、キャップ１が揺動軸Ｌａを中心に揺動し、閉塞位置から開放位置に移動して給油口Ｔａを外部に臨ませ得るようになっている。
【００２４】
上側キャップ部１ａは、図７に示すように、湾曲したアーム部１ｃが形成されており、当該アーム部１ｃの所定部位には、キャップ１を閉塞位置と開放位置との間で揺動させる揺動軸Ｌａが形成されている。また、上側キャップ部１ａは、図３、７に示すように、所定位置に挿通孔１ａａが形成されており、当該挿通孔１ａａに後述する揺動軸Ｌｂを挿通し得るようになっている。下側キャップ部１ｂは、キャップ１が閉塞位置にあるとき、給油口Ｔａをシールするシール材Ｓが取り付けられるとともに、図４〜６に示すように、係止手段３を係止位置と許容位置との間で移動可能な状態で収容して構成されている。
【００２５】
操作ノブ２（操作手段）は、図９に示すように、揺動軸Ｌｂを挿通するための挿通孔２ａが形成されたもので、当該挿通孔２ａに揺動軸Ｌｂが挿通した状態にてキャップ１（上側キャップ部１ａ）の上面に形成された凹部に取り付けられている。そして、操作者が操作ノブ２を上方に引き上げて操作すると、当該操作ノブ２が揺動軸Ｌｂを中心に揺動操作可能とされている。
【００２６】
揺動軸Ｌｂは、操作ノブ２の揺動操作に伴って回転し得るよう構成されたもので、図８に示すように、その一端部に第１ギアＧ１が取り付けられている。かかる第１ギアＧ１は、後述する第２ギアＧ２と噛み合って構成されるラックアンドピニオンのピニオンから成るもので、外周面に歯面を有する歯車から成り、操作ノブ２の操作に伴って揺動軸Ｌｂと一体的に回転し得るようになっている。
【００２７】
さらに、本実施形態に係る揺動軸Ｌｂには、図３に示すように、挿通孔１ａａをシールするシール手段ｆが取り付けられている。すなわち、本実施形態においては、揺動軸Ｌｂの回転力が係止手段３に伝達されるよう構成されているので、挿通孔１ａａを介して装置の内部と外部とが連通した状態とされており、揺動軸Ｌｂにシール手段ｆを取り付けることにより挿通孔１ａａを容易且つ確実にシールすることができるのである。
【００２８】
係止手段３は、操作ノブ２の操作と連動して移動可能とされるとともに、キャップ１が給油口Ｔａを塞いだ状態を保持する係止位置（図４参照）と、当該係止を解除して当該キャップ１の開動作を許容する許容位置（図５参照）との間で動作するものである。より具体的には、本実施形態に係る係止手段３は、下側キャップ部１ｂ内の作動空間（図６参照）において略直線状にスライド可能とされており、係止位置にあるとき、図４に示すように、先端の係止部３ａがカバー部Ｈに形成された被係止部Ｈａに係止してキャップ１の閉塞位置から開放位置への移動を規制するとともに、操作ノブ２が操作されて許容位置にあるとき、図５に示すように、係止部３ａが被係止部Ｈａから離間して係止が解かれ、キャップ１の閉塞位置から開放位置への移動を許容するよう構成されている。
【００２９】
また、係止手段３は、図４、５に示すように、コイルスプリング９の付勢力により許容位置から係止位置に向かって付勢されるとともに、図１０に示すように、係止部３ａの裏面側にテーパ面３ａａが形成されている。そして、キャップ１を開放位置から閉塞位置に向かって揺動させると、テーパ面３ａａがカバー部Ｈの被係止部Ｈａに干渉し、係止手段３がコイルスプリング９の付勢力に抗して許容位置に向かう方向に僅かに移動するようになっている。このようにして、係止手段３が移動して、テーパ面３ａａが被係止部Ｈａに干渉しなくなる位置に達すると、キャップ１が閉塞位置まで揺動するとともに係止手段３がコイルスプリング７の付勢力にて係止位置まで移動するので、係止部３ａが被係止部Ｈａに係止することとなる。
【００３０】
さらに、本実施形態に係る係止手段３は、図１０に示すように、係止部３ａ及びテーパ面３ａａの他、連結部３ｂ及び延設部３ｃを有している。連結部３ｂは、係止部３ａの裏面側から下方に向かって延設された部位から成り、図４、５に示すように、スライダ６の嵌合凹部６ａａと嵌合し得るようになっている。延設部３ｃは、係止部３ａの両端部から一体的に延設された左右一対の部位から成り、それぞれの端部３ｃａは、既述のコイルスプリング９の一端と当接可能とされている。
【００３１】
ここで、本実施形態に係る係止手段３は、左右一対の延設部３ｃのうち一方の延設部３ｃに第２ギアＧ２が形成されている。かかる第２ギアＧ２は、既述の第１ギアＧ１と噛み合って構成されるラックアンドピニオンのラックから成るもので、延設部３ｃの表面に形成された歯面を有し、操作ノブ２の操作により第１ギアＧ１が回転すると、その回転力が伝達されて係止手段３を移動可能とされている。
【００３２】
すなわち、第１ギアＧ１及び第２ギアＧ２は、操作ノブ２の揺動軸Ｌｂと係止手段３との間に形成され、操作ノブ２の揺動操作に伴う揺動軸Ｌｂの回転力を係止手段３に伝達して移動させ得る操作力伝達手段を構成するものであり、これら第１ギアＧ１及び第２ギアＧ２が噛み合って構成されることにより、揺動軸Ｌｂの回転力を第１ギアＧ１及び第２ギアＧ２を介して係止手段３に伝達するラックアンドピニオンを構成している。
【００３３】
さらに、本実施形態においては、係止手段３の係止位置から許容位置への動作をロックし、又は当該ロックを解除して係止手段３の係止位置から許容位置への動作を許容し得るロック手段を具備している。具体的には、本実施形態に係るロック手段は、係止手段３と連結されて当該係止手段３と共に移動可能なスライダ６と、スライダ６に係止して当該スライダ６の移動を規制する位置（突出状態）と、スライダ６に対する係止を解除して当該スライダ６の移動を許容する位置（収縮状態）との間で変位可能なプランジャ５ａを有したソレノイド５とを有して構成されている。
【００３４】
スライダ６は、図１１、１２に示すように、突出部６ａと、ソレノイド５のプランジャ５ａと干渉可能な干渉部６ｂと、検知スイッチ８の作動部８ａを作動可能な凸部６ｃとが一体形成された部品から成り、図４、５に示すように、突出部６ａに形成された嵌合凹部６ａａに係止手段３の連結部３ｂが嵌合して組み付けられている。これにより、係止手段３が係止位置と許容位置との間で移動するのに追従して、スライダ６が収容部材Ｔ内で移動可能とされている。なお、スライダ６は、図４、５に示すように、コイルスプリング７にて同図中左側に向かって付勢されている。
【００３５】
ソレノイド５は、取付部材１０に取り付けられ、通電によりプランジャ５ａを突出状態と収縮状態との間で変位させ得るもので、当該プランジャ５ａが突出状態のとき、スライダ６の干渉部６ｂと干渉することにより係止してスライダ６の移動（すなわち、係止手段３との連動）を規制し得るとともに、プランジャ５ａが収縮状態のとき、スライダ６の干渉部６ｂから離間することによりスライダ６に対する係止を解除してスライダ６の移動（すなわち、係止手段３との連動）を許容し得るようになっている。
【００３６】
なお、プランジャ５ａは、通電によって、突出状態と収縮状態との間で変位可能とされ、突出状態でスライダ６の干渉部６ｂと干渉する位置、及び収縮状態で当該干渉部６ｂから離間した位置となるよう設定されるとともに、ソレノイド５の内部に形成されたスプリング（不図示）によって、収縮状態から突出状態に向かう方向に常時付勢されている。すなわち、プランジャ５ａは、通電されない状態において、内部のスプリングの付勢力にて突出状態とされてスライダ６を係止することにより係止手段３をロックするとともに、通電されると、内部のスプリングの付勢力に抗して収縮状態とされてスライダ６の係止を解除することにより係止手段３のロックを解除するのである。
【００３７】
検知スイッチ８は、取付部材１０に取り付けられ、スライダ６の移動を検知することにより係止手段３の移動を検知可能なマイクロスイッチから成るもので、図４、１５に示すように、検出手段３が係止位置にあるとき、作動部８ａがスライダ６の凸部６ｃに押圧されて検知スイッチ８が電気的にオンした状態となっている。そして、操作ノブ２を操作開始して係止手段３が係止位置から許容位置に向かって移動し始めると、図１６に示すように、スライダ６が同方向に移動して作動部８ａから凸部６ｃが離間するので、検知スイッチ８が電気的にオフした状態となる。これにより、検知スイッチ８のオン・オフ状態を検知することにより、操作ノブ２の操作に伴う係止手段３の移動を検知することができる。なお、本実施形態においては、図１３、１４に示すように、ソレノイド５、スライダ６、コイルスプリング７、検知スイッチ８及び取付部材１０は、ユニット４を構成している。
【００３８】
加えて、本実施形態に適用される車両は、図１７に示すように、運転者が携帯し得るとともに車両固有のＩＤコードを電波に乗せて発信する発信手段１１と、車両側に配設されて発信手段１１からのＩＤコードを受信し得る受信手段１２と、該受信手段１２で受信したＩＤコードが当該車両における正規のものであるか否かを判定する判定手段１３とを有しており、判定手段１３が正規のＩＤコードを受信したと判定したことを条件として、ＥＣＵ１４に制御信号を送信してエンジン始動を許可するようになっている。
【００３９】
さらに、本実施形態に係る判定手段１３は、検知スイッチ８と電気的に接続されており、判定手段１３が正規のＩＤコードを受信したと判定され、且つ、検知スイッチ８により係止手段３の移動が検知されたことを条件として、ソレノイド５のプランジャ５ａを収縮状態としてロック解除を行わせるよう構成されている。すなわち、判定手段１３が正規のＩＤコードを受信したと判定している場合、検知スイッチ８により係止手段３の移動開始を検知することにより、ソレノイド５のプランジャ５ａを突出状態から収縮状態としてロック手段のロックを解除し、係止手段３の係止位置から許容位置への移動を許容するとともに、判定手段１５が正規のＩＤコードを受信していると判定されない場合、検知スイッチ８により係止手段３の移動開始を検知しても、ソレノイド５のプランジャ５ａを突出状態に維持してロック手段によるロック解除動作が行われないようになっている。
【００４０】
本実施形態によれば、操作ノブ２の揺動軸Ｌｂと係止手段３との間に形成され、操作ノブ２の揺動操作に伴う揺動軸Ｌｂの回転力を係止手段３に伝達して移動させ得る操作力伝達手段（具体的には、第１ギアＧ１及び第２ギアＧ２で構成されるラックアンドピニオン）を備えたので、操作ノブ２の操作力が係止手段３に対して直接伝達されるのを回避して、操作ノブ２又は係止手段３の破損を防止することができるとともに、異物が装置内部に侵入してしまうのを防止することができる。
【００４１】
特に、本実施形態に係る操作力伝達手段は、揺動軸Ｌｂに形成された第１ギアＧ１と、係止手段３に形成された第２ギアＧ２とを有し、第１ギアＧ１及び第２ギアＧ２が噛み合って構成されることにより、揺動軸Ｌｂの回転力を第１ギアＧ１及び第２ギアＧ２を介して係止手段３に伝達するので、操作ノブ２の操作に伴う係止手段３の移動量や操作方向、及び操作ノブ２の操作により係止手段３に伝達される操作力を容易に調整することができる。
【００４２】
また、第１ギアＧ１及び第２ギアＧ２は、ラックアンドピニオンを構成するものとされ、第１ギアＧ１は、揺動軸Ｌｂの端部に取り付けられたピニオンから成るとともに、第２ギアＧ２は、係止手段３に形成されたラックから成るので、揺動軸Ｌｂの回転力を効率よく係止手段３に伝達してスライドさせることができる。なお、本実施形態においては、揺動軸Ｌｂの一端部に第１ギアＧ１が形成されているが、当該揺動軸Ｌｂの両端部に第１ギアＧ１をそれぞれ取り付け、各第１ギアＧ１に噛み合う第２ギアＧ２を係止手段３の延設部３ｃのそれぞれに形成するようにしてもよい。
【００４３】
さらに、本実施形態に係るロック手段は、係止手段３と連結されて当該係止手段３と共に移動可能なスライダ６と、スライダ６に係止して当該スライダ６の移動を規制する位置と、スライダ６に対する係止を解除して当該スライダ６の移動を許容する位置との間で変位可能なプランジャ５ａを有したソレノイド５とを有するので、確実に係止手段３の動作をロックさせることができる。
【００４４】
またさらに、本実施形態に係るキャップ１は、揺動軸Ｌｂを挿通する挿通孔１ａａが形成されるとともに、当該揺動軸Ｌｂには、挿通孔１ａａをシールするシール手段ｆが取り付けられたので、挿通孔１ａａを介して雨水や塵等の異物が装置内部に侵入してしまうのを容易に防止することができる。なお、シール手段ｆは、挿通孔１ａａをシールし、且つ、揺動軸Ｌｂの回転を妨げないものであれば、如何なる形態であってもよい。
【００４５】
また、運転者が携帯し得るとともに車両固有のＩＤコードを発信する発信手段１１と、車両側に配設されて発信手段１１からのＩＤコードを受信し得る受信手段１２と、受信手段１２で受信したＩＤコードが当該車両における正規のものであるか否かを判定する判定手段１３とを備えるとともに、判定手段１３が正規のＩＤコードを受信したと判定している場合に限り、ロック手段によるロック解除を行わせ得るので、第三者が不正にロック手段によるロック解除を行ってしまうのを防止することができ、防犯性を向上させることができる。
【００４６】
特に、判定手段１３により正規のＩＤコードを受信したと判定され、且つ、係止手段３の移動が検知されたことを条件として、ロック手段によるロック解除を行わせるので、操作ノブ２の操作の過程でロック解除を行わせることができ、例えば車両側に取り付けられた別個の操作手段（アクセススイッチ等）にてロック解除を行わせるものに比べて、操作性を向上させることができる。
【００４７】
以上、本実施形態について説明したが、本発明はこれに限定されず、例えば操作力伝達手段は、操作ノブ２（操作手段）の揺動軸Ｌｂと係止手段３との間に形成され、操作ノブ２の揺動操作に伴う揺動軸Ｌｂの回転力を係止手段３に伝達して移動させ得るものであれば、第１ギアＧ１及び第２ギアＧ２で構成されるものに限定されず、リンク部材やカム部材等の他の形態のものであってもよい。
【００４８】
また、本実施形態に係る操作力伝達手段は、第１ギアＧ１及び第２ギアＧ２で構成されるラックアンドピニオンから成るものとされているが、両ギアが歯車から成るもの、或いは第１ギアＧ１及び第２ギアＧ２の間に別個のギアが噛み合ったもの等であってもよい。特に、第１ギアＧ１及び第２ギアＧ２の間に別個のギアが噛み合った操作力伝達手段としれば、操作ノブ２の操作方向に対する係止手段３の移動方向を逆向きに変更することができる。なお、適用される車両は、自動車や二輪車の他、バギー又は雪上車等であってもよい。
【産業上の利用可能性】
【００４９】
操作手段の揺動軸と係止手段との間に形成され、操作手段の揺動操作に伴う揺動軸の回転力を係止手段に伝達して移動させ得る操作力伝達手段を備えた燃料タンクキャップのロック装置であれば、外観形状が異なるもの或いは他の機能が付加されたもの等にも適用することができる。
【符号の説明】
【００５０】
１  キャップ
１ａ  上側キャップ部
１ａａ  挿通孔
１ｂ  下側キャップ部
１ｃ  アーム部
２  操作ノブ（操作手段）
２ａ  挿通孔
３  係止手段
３ａ  係止部
３ａａ  テーパ面
３ｂ  連結部
３ｃ  延設部（ラック）
４  ユニット
５  ソレノイド（ロック手段）
５ａ  プランジャ
６  スライダ（ロック手段）
６ａ  突出部
６ａａ  嵌合凹部
６ｂ  干渉部
６ｃ  凸部
７  コイルスプリング
８  検知スイッチ
８ａ  作動部
９  コイルスプリング
１０  取付部材
１１  発信手段
１２  受信手段
１３  判定手段
１４  ＥＣＵ
Ｇ１  第１ギア
Ｇ２  第２ギア
Ｔ  収容部材
Ｔａ  給油口
Ｈ  カバー部
Ｈａ  被係止部
Ｓ  シール材
Ｌａ、Ｌｂ  揺動軸
ｆ  シール手段
【図１】
2020199830.tif 000003
【図２】
2020199830.tif 000004
【図３】
2020199830.tif 000005
【図４】
2020199830.tif 000006
【図５】
2020199830.tif 000007
【図６】
2020199830.tif 000008
【図７】
2020199830.tif 000009
【図８】
2020199830.tif 000010
【図９】
2020199830.tif 000011
【図１０】
2020199830.tif 000012
【図１１】
2020199830.tif 000013
【図１２】
2020199830.tif 000014
【図１３】
2020199830.tif 000015
【図１４】
2020199830.tif 000016
【図１５】
2020199830.tif 000017
【図１６】
2020199830.tif 000018
【図１７】
2020199830.tif 000019